(57)【特許請求の範囲】
【請求項１】
交流電流を入力される一次側回路と、前記一次側回路に入力された交流電流を電圧変換するトランス部と、前記トランス部で電圧変換された交流電流を直流電流に変換して所定の機器に出力する二次側回路と、前記所定の機器を制御するとともに、計時を行う制御手段と、前記制御手段によって計測された時間を記憶する記憶手段とを備え、
前記所定の機器及び前記制御手段が、通常動作状態にある通常モードと、
前記二次側回路が出力する直流電流の電圧が前記通常モードにおけるよりも低下され、前記制御手段が、前記所定の機器の運転を停止するとともに、前記通常モードにおけるよりも消費電力が小さい運転モードで計時を行いながら運転される待機モードと、を有し、
前記待機モードにおいて、一定時間が経過するたびに、前記制御手段によって計測された経過時間を補正し、補正後の経過時間を前記記憶手段に記憶させることを特徴とする制御回路。
【請求項２】
前記制御回路は、前記一次側回路に入力された交流電流のゼロクロス点を検出するゼロクロス検出手段を有し、
前記待機モードにおいて、前記ゼロクロス検出手段は、前記一定時間が経過するごとに、前記一定時間よりも短い時間だけ前記一次側回路から交流電流を供給され、前記制御手段によって計測された経過時間の補正は、前記制御手段によって計測される時間が、前記ゼロクロス手段によって検出されるゼロクロスのタイミングを基準として計測される時間に等しくなるように行われることを特徴とする請求項１に記載の制御回路。
【請求項３】
前記二次側回路は、出力される直流電流の高電圧側出力ラインと、低電圧側出力ラインとの間に接続された第一の抵抗手段と、スイッチング手段と、前記スイッチング手段の切り替えによって前記第一の抵抗手段に並列接続可能な第二の抵抗手段とを有し、
前記待機モードにおける前記二次側回路が出力する直流電流の電圧の低下は、前記スイッチング手段の切り替えによって前記第一の抵抗手段に第二の抵抗手段を並列接続することによって行われることを特徴とする請求項１又は２に記載の制御回路。
【請求項４】
前記制御手段は、前記待機モードにおいて、前記通常モードにおけるよりも、低いクロック周波数で動作されることを特徴とする請求項１〜３のいずれかに記載の制御回路。
【発明の詳細な説明】
【技術分野】
【０００１】
本発明は、制御回路に関し、さらに詳しくは、各種機器を制御するに際して消費電力が低減された待機モードを有する制御回路に関する。
【背景技術】
【０００２】
近年の節電意識の高まりにより、種々の電気電子機器には、消費電力の低減が期待されている。そのため、温水洗浄便座等、多くの常時使用される訳ではない電気電子機器には、通常の動作モードにおけるよりも消費電力の小さい、待機モード（節電モード）が備えられ、使用者が使用していない間の消費電力の低減が図られる。
【０００３】
しかし、待機モードにおいても、消費される電力がゼロとなるのではなく、少なからず電力が消費される。さらに節電を進めるためには、待機モードで消費される電力の低減が重要となる。例えば、特許文献１には、温水洗浄便座のような衛生機器において、ＡＣ負荷の制御等に利用されるゼロクロス検出部に、電流を間欠的に印加することによって、待機時の消費電力の低減を図ることが記載される。
【先行技術文献】
【特許文献】
【０００４】
【特許文献１】特開２０００−２８２５４６号公報
【発明の概要】
【発明が解決しようとする課題】
【０００５】
しかしながら、通常の電気電子機器には、制御手段を始め、種々の電力を消費する構成要素が含まれる。これらのうち、ゼロクロス検出部における消費電力の低減を図るだけでは、その電気電子機器機器全体として、節電の効果が十分に得られるとは言えない。
【０００６】
本発明が解決しようとする課題は、電気電子機器を制御するに際して、消費電力が効果的に低減される機能を有する制御回路を提供することにある。
【課題を解決するための手段】
【０００７】
上記課題を解決するために、本発明にかかる制御回路は、交流電流を入力される一次側回路と、前記一次側回路に入力された交流電流を電圧変換するトランス部と、前記トランス部で電圧変換された交流電流を直流電流に変換して所定の機器に出力する二次側回路と、前記所定の機器を制御するとともに、計時を行う制御手段と、前記制御手段によって計測された時間を記憶する記憶手段とを備え、前記所定の機器及び前記制御手段が、通常動作状態にある通常モードと、前記二次側回路が出力する直流電流の電圧が前記通常モードにおけるよりも低下され、前記制御手段が、前記所定の機器の運転を停止するとともに、前記通常モードにおけるよりも消費電力が小さい運転モードで計時を行いながら運転される待機モードと、を有し、前記待機モードにおいて、一定時間が経過するたびに、前記制御手段によって計測された経過時間を補正し、補正後の経過時間を前記記憶手段に記憶させることを要旨とする。
【０００８】
ここで、前記制御回路は、前記一次側回路に入力された交流電流のゼロクロス点を検出するゼロクロス検出手段を有し、前記待機モードにおいて、前記ゼロクロス検出手段は、前記一定時間が経過するごとに、前記一定時間よりも短い時間だけ前記一次側回路から交流電流を供給され、前記制御手段によって計測された経過時間の補正は、前記制御手段によって計測される時間が、前記ゼロクロス手段によって検出されるゼロクロスのタイミングを基準として計測される時間に等しくなるように行われることが好適である。
【０００９】
さらに、前記二次側回路は、出力される直流電流の高電圧側出力ラインと、低電圧側出力ラインとの間に接続された第一の抵抗手段と、スイッチング手段と、前記スイッチング手段の切り替えによって前記第一の抵抗手段に並列接続可能な第二の抵抗手段とを有し、前記待機モードにおける前記二次側回路が出力する直流電流の電圧の低下は、前記スイッチング手段の切り替えによって前記第一の抵抗手段に第二の抵抗手段を並列接続することによって行われると良い。
【００１０】
また、前記制御手段は、前記待機モードにおいて、前記通常モードにおけるよりも、低いクロック周波数で動作されるものであると良い。
【発明の効果】
【００１１】
上記発明にかかる制御回路によると、待機モードにおいて、二次側回路が出力する直流電流の電圧の低下と、所定の機器の運転の停止と、消費電力が小さいモードでの制御手段の運転という３つの機構により、消費電力の低減が実行される。これにより、待機モードでの消費電力の低減が効果的に達成される。
【００１２】
また、制御手段は、待機モードにある間にも経過時間を計測するが、消費電力が低減された運転モードにある制御手段においては、計測された時間の長さに誤差が生じがちである。しかしながら、上記発明にかかる制御回路によると、待機モードにあっても、一定時間が経過するたびに、制御手段によって計測された経過時間が補正されるので、正確な経過時間を計測することができる。
【００１３】
ここで、制御回路がゼロクロス検出手段を有し、待機モードにおいて制御手段によって計測された経過時間の補正が、ゼロクロス手段によって検出されるゼロクロスのタイミングを基準として計測される時間に等しくなるように行われると、簡便な構成で、かつ高い精度で経過時間の補正を行うことができる。
【００１４】
さらに、二次側回路の出力電圧の低下が、スイッチング手段を用いた第二の抵抗手段の接続によって行われるものである場合には、また、制御手段が待機モードにおいて低いクロック周波数で動作されるものである場合には、簡便な構成で、高効率に消費電力の低減を実行することができる。
【図面の簡単な説明】
【００１５】
【図１】本発明の一実施形態にかかる制御回路の電源部の構成を示す概略図である。
【図２】図１に示された制御回路の制御手段周辺の構成を示す概略図である。
【発明を実施するための形態】
【００１６】
以下、本発明の第一の実施形態にかかる制御回路について、図面を参照しながら詳細に説明する。以下では、温水洗浄便座に備えられる制御回路を例として説明するが、本制御回路が備えられる電気電子機器は、温水洗浄便座に限定されない。
【００１７】
本制御回路は、一次側回路、トランス、二次側回路よりなる電源部と、各種機器と、各種機器を制御する制御手段とからなる。各種機器とは、温水洗浄便座の場合には、温水ヒータや着座センサ等、温水洗浄便座の機能を発揮するのに必要な構成機器である。
【００１８】
本制御回路は、温水洗浄便座が使用者によって使用され、温水洗浄便座を構成する各種機器や制御手段が稼働状態にある通常モードと、温水洗浄便座が使用状態になく、通常モードにおいて行われる各機器及び制御手段の動作を行わずに、必要最小限の機能のみを発揮した状態で、次に使用されるまで待機している待機モードとを有する。
【００１９】
図１に、電源部１０の構成を示す。電源部１０は、商用電源等の交流電源ＡＣから一次側回路に供給された交流電流を、直流電流に変換して、二次側回路から出力し、制御手段２０及び各種機器に供給する。
【００２０】
一次側回路においては、公知のスイッチング電源と同様に、電源ＡＣから供給された交流電流を、整流回路ＲＣによって全波整流し、電解コンデンサＣ２で平滑化する。平滑化された電流をスイッチング回路ＳＷによってスイッチングして、トランスＴｆの一次側に交流電流を入力する。トランスＴｆにおいて、電圧変換され、降圧された交流電流が二次側回路に出力される。
【００２１】
二次側回路では、電解コンデンサＣ１とダイオードＤ１によって、入力された交流電流を整流平滑化し、直流電流とする。直流電流が出力されるグラウンド側の出力端子１２ｂに繋がるラインと高圧側出力端子１２ａに繋がるラインの間には、分割抵抗Ｒ１及びＲ２が接続されている。出力端子１２ａ、１２ｂ間に出力される直流電流の電圧は、トランスＴｆの一次側と二次側のコイル巻き数比とともに、分割抵抗Ｒ１、Ｒ２の抵抗値によって決定される。出力端子１２ａから出力された電圧は、制御手段２０や各種機器に供給され、それらを駆動する。出力端子１２ａ、１２ｂの間の出力電圧としては、制御手段及び各種機器の駆動に必要な電圧値が適宜選択されればよいが、１２Ｖの電圧値を例示することができる。
【００２２】
二次側回路にはさらに、フォトカプラＰＣ１のフォトダイオードと、それに供給される駆動電流を制御するシャントレギュレータＩＣ１が設けられている。シャントレギュレータＩＣ１の参照端子は分割抵抗Ｒ１とＲ２の間の接続点に接続されている。フォトカプラＰＣ１のフォトトランジスタは、一次側回路のスイッチング回路ＳＷに直列接続されている。これにより、出力端子１２ａ、１２ｂ間の出力電圧に応じて、スイッチング回路ＳＷのスイッチングの時間間隔が変化され、出力端子１２ａ、１２ｂ間の出力電圧が安定化するようにフィードバック制御される。
【００２３】
本実施形態にかかる制御回路においては、公知のスイッチング電源とは異なり、分割抵抗Ｒ１に並列に、スイッチング手段によって接続／非接続を制御される抵抗Ｒ３が設けられている。スイッチング手段は、例えばトランジスタＴｒ１によって実現される。トランジスタＴｒ１のエミッタ側又はコレクタ側にＲ３が接続されている。トランジスタＴｒ１のベース側は、制御手段２０のポートＰ７に接続されている。
【００２４】
通常モードにおいては、制御手段２０のポートＰ７からトランジスタＴｒ１のベース端子に電流が入力されず、トランジスタＴｒ１はＯＦＦ状態にある。つまり、抵抗Ｒ３は、電源部１０の二次側回路に組み込まれていない。
【００２５】
制御手段２０において、通常モードから待機モードへの切り替えを行うことが決定されると、ポートＰ７から電気信号が出力される。これにより、トランジスタＴｒ１がＯＮ状態とされ、抵抗Ｒ３が抵抗Ｒ１に並列接続された状態となる。つまり、出力端子１２ａ、１２ｂの間の合成抵抗が小さくなる。
【００２６】
すると、出力端子１２ａ、１２ｂ間の出力電圧が小さくなる。後述するように、制御手段２０は、待機モードにおいても、電源供給を必要とするが、通常モードよりも必要な電源電圧は小さい。待機モードにおける出力端子１２ａ、１２ｂ間の出力電圧は、抵抗Ｒ３の抵抗値によって設定することができる。出力端子１２ａ、１２ｂ間の出力電圧が、制御手段２０等の待機モードでの運転に必要な電圧となるように、抵抗Ｒ３の抵抗値を適宜選択すればよい。例えば、待機モードにおける出力端子１２ａ、１２ｂ間の出力電圧として、７Ｖの電圧値を例示することができる。
【００２７】
このように、二次回路側の出力電圧が低くなると、二次側回路の消費電力が低減される。特にシャントレギュレータＩＣ１での消費電力低減の効果が大きい。二次側回路における消費電力の低減に伴い、一次側回路に供給される電力が小さくなり、全体として、消費電力が低減される。
【００２８】
なお、スイッチング手段は、待機モードにおいてのみ抵抗Ｒ３を抵抗Ｒ１に並列接続することができるものであれば、トランジスタＴｒ１には限定されない。例えば、リレー、ＦＥＴ等を使用することができる。スイッチング手段としてトランジスタＴｒ１を使用する場合には、ポートＰ７から信号が入力された時に、ＯＮ状態となり、抵抗Ｒ３が接続されるが、使用するスイッチング手段によっては、ポートＰ７から信号が入力されている間は抵抗Ｒ３が接続されず、ポートＰ７への信号入力が停止されると抵抗Ｒ３が接続される構成とすることもできる。
【００２９】
また、出力端子１２ａ、１２ｂの間の出力電圧を、待機モードにおいて低下させられるのであれば、上記のように抵抗Ｒ３を使用する形式に限定されない。また、抵抗Ｒ３を使用する場合にも、抵抗Ｒ３が、出力端子１２ａ、１２ｂの間に接続されている抵抗に並列接続されることにより、出力端子１２ａ、１２ｂの間の合成抵抗が小さくなるのであれば、二次側回路の構成及び抵抗Ｒ３の接続箇所は、上記に限定されない。
【００３０】
次に、図２を参照して、制御手段周辺の構成を説明する。制御手段２０は、各種機器の動作を制御するものであり、マイクロコンピュータ（マイコン）等によって具現化される。制御手段２０は、図示しない温水ヒータや温度センサ等の各種機器に接続され、それらに対して電気信号の入出力を行う。
【００３１】
図２においては、図１に示した電源部１０の構成が省略されて記載されているが、出力端子１２ａ出力される直流電流が、低電圧電源１０’における低電圧変換を経てポートＰ０から入力され、制御手段２０の駆動電源とされる。
【００３２】
制御手段２０は、クロック発振手段２５を備える。クロック発振手段２５は、制御手段２０の動作クロックを規定するものである。クロック発振手段２５は、制御手段２０の外部にあっても、内部にあってもよい。待機モードにおいては、クロック発振手段２５のクロックカウントに基づいて、経過時間が計測される。
【００３３】
制御手段２０のポートＰ１からはゼロクロス信号が入力される。ゼロクロス信号は、フォトカプラＰＣ２を含むゼロクロス回路によって発生される。フォトカプラＰＣ２のフォトダイオードは一次側回路の交流電源ＡＣに接続され、交流電源ＡＣから入力された交流電流が０Ｖを通過するタイミングに同期したゼロクロス信号が、フォトカプラＰＣ２のフォトトランジスタからポートＰ１に入力される。入力されたゼロクロス信号は、温水洗浄便座の温水ヒータや便座ヒータなど、交流負荷方式の機器の制御に使用されるとともに、通常モードにおいては、計時の基準として使用される。また、待機モードにおいては、ゼロクロス信号は、制御手段２０によって計測される経過時間の補正に利用される。
【００３４】
制御手段２０が計時を行う目的の１つは、タイマ機能や時計表示機能に使用することである。もう１つの目的は、各種機器や部品などのうち、寿命が規定されているものについて、寿命に達したときに動作を停止させたり、交換を促したりするために、総通電時間及び／又は設置されてからの総経過時間を記録しておくことである。
【００３５】
制御手段２０のポートＰ２は、リレーＲＹ１の入力側端子に接続されたトランジスタＴｒ２のベース端子に接続されている。リレーＲＹ１の出力側端子は、フォトカプラＰＣ２のフォトダイオードに接続されている。ポートＰ２から電気信号が出力されない状態では、ゼロクロス回路が切断されており、ゼロクロス信号がポートＰ１から入力されない。ポートＰ２から電気信号が出力されると、ゼロクロス回路がつなげられ、ポートＰ１からゼロクロス信号が入力されるようになる。
【００３６】
制御手段２０のポートＰ３は、着座者の存在を検出する着座センサ２１の電源供給ラインに挿入されたトランジスタＴｒ３のベース端子に接続されている。ポートＰ３から電気信号が入力されている間のみ、着座センサ２１に電源が供給される。また、制御手段２０は、図示しないポートＰ３’から着座センサ２１の信号を入力され、着座者の有無に基づいて、通常モードと待機モードの切り替えを行う。
【００３７】
制御手段２０のポートＰ４は、電源スイッチ２２から電源ＯＮ／ＯＦＦ信号の入力を受ける。また、ポートＰ５は、リモコン受光素子２３を介して、リモートコントローラ（リモコン）から、電源ＯＮ／ＯＦＦ信号の入力を受ける。電源スイッチ２２又はリモコンの操作によって、使用者が、温水洗浄便座の電源をＯＮ／ＯＦＦすると、信号の入力を受けた制御手段２０が、通常モード／待機モードの間の切り替えを行う。なお、電源スイッチ２２及びリモコン素子２３は両方が備えられても、一方のみが備えられてもよい。
【００３８】
さらに、制御手段２０のポートＰ６は、フラッシュメモリ（Ｅ２ＰＲＯＭ）などの記憶手段２４の電源供給回路に挿入されたトランジスタＴｒ４のベース端子に接続されている。記憶手段２４は、制御手段２０によって計測された経過時間を記憶する役割を果たす。これに加え、記憶手段２４は、温水ヒータの制御パラメータ等、温水洗浄便座の制御に必要な各種情報を記憶する役割を兼ねることができる。ポートＰ６から電気信号が入力されている間のみ、記憶手段２４に電源が供給される。なお、記憶手段２４は、図２のように制御手段２０と別体として備えられるものであっても、制御手段２０内部に一体として備えられるものであってもよい。
【００３９】
制御手段２０のポートＰ７は、前述した電源部１０のトランジスタＴｒ１のベース端子に接続されている。上記のように、ポートＰ７から信号が出力されると、抵抗Ｒ３が電源部１０の二次側回路に接続され、消費電力が低減される状態となる。
【００４０】
なお、リレーＲＹ１の入力側端子、及び着座センサ２１、記憶手段２４の電源回路に挿入されているトランジスタＴｒ３、Ｔｒ４は、一端を電源部１０の出力端子１２ａ等、任意の直流電圧ラインに接続されている。
【００４１】
着座者が存在し、温水洗浄便座が使用されている通常モードにおいては、ポートＰ７からは電気信号が出力されておらず、電源部１０の二次側回路に抵抗Ｒ３が挿入されていない状態となっている。つまり、出力端子には、Ｒ３が存在しない状態で規定される、比較的高い電圧（例えば１２Ｖ）が出力されている。その電圧は、更に低電圧電源１０で低電圧変換され、制御手段２０のポートＰ０に入力されている。ポートＰ０より入力される制御手段２０の電源電圧は、通常５Ｖである。制御手段２０は、この電圧の入力を受け、クロック発振手段２５によって発振される、比較的短周期の第一クロック周波数で運転されている。
【００４２】
また、ポートＰ２から電気信号が出力され、ＲＹ１の出力側回路が閉じられている。これにより、ゼロクロス信号が生成され、ポートＰ１から入力されている。この時、ゼロクロス信号は、交流負荷の機器を制御するのに使用されるとともに、制御手段２０による計時の基準として使用されている。
【００４３】
ポートＰ３、Ｐ６からも電気信号が出力され、着座センサ２１、記憶手段２４に電源が供給され、これらが稼働している。図２には図示されない他の機器が制御手段２０に接続されている場合にも、それらに電源が供給されて稼働され、制御手段２０による制御を受けている。上記で計測された経過時間は、記憶手段２４に記憶される。
【００４４】
着座センサ２１によって一定時間着座者が検出されなかった時、又は電源スイッチ２２又はリモコン受光素子２３によって温水洗浄便座の電源がＯＦＦとされた時には、制御手段２０は、通常モードから待機モードへの切り替えを行う。
【００４５】
待機モードに切り替えられると、前述のように、ポートＰ７から電気信号が発せられ、抵抗Ｒ３が電源部１０の二次側回路に接続される結果、出力端子１２ａに出力される電圧が低下される。制御手段２０は、この低下された電圧（例えば７Ｖ）を低電圧電源１０’で低電圧変換した低い電圧で動作し、消費電力が小さい、スリープモードなどと称される運転モードに切り替えられる。
【００４６】
制御手段２０は、クロック発振手段２５の通常モードにおける第一クロック周波数をもとに分周した長周期の第二クロック周波数で動作するようになる。このとき、制御手段２０は、後述する計時を始めとして、各種機器が使用されない状態で必要な最低限の機能のみを発揮する。
【００４７】
また、待機モードへの切り替えが行われると、ポートＰ２への電気信号の出力も停止される。すると、リレーＲＹ１の出力側端子が開放されることにより、ゼロクロス回路が切断される。通常、フォトカプラは大きな消費電力を要するが、ゼロクロス回路が切断されることで、フォトカプラＰＣ２における消費電力が削減される。
【００４８】
前述のように、タイマ機能や時計表示機能の発揮、各種機器や部品の寿命の検出等を目的として行われる計時は、待機モードにおいても、継続される必要がある。しかし、ゼロクロス回路が切断されており、通常モードの場合のように、ゼロクロス信号を基準とした計時を行うことができない。そこで、制御手段２０は、第二クロック周波数のクロックカウントをもとに、経過時間を計測する。
【００４９】
通常モードから待機モードへの切り替えが行われると、ポートＰ３及びポートＰ６への電気信号の出力も停止され、着座センサ２１及び記憶手段２４への電源供給が停止される。これらの機器は、温水洗浄便座が使用されていない状態では、稼働させておく必要がないからである。これら以外に、図示されていない各種機器についても、温水洗浄便座が使用されていない状態で稼働させておく必要のないものについては、同様に電源供給が遮断される。これにより、着座センサ２１、記憶手段２４及びその他各種機器による電力消費が停止される。
【００５０】
このように、通常モードから待機モードへの切り替えが行われる際には、電源部１０からの出力電圧を低下させることと、制御手段２０を低消費電力の運転モード（スリープモード）で運転することと、各種機器の電源供給回路及びゼロクロス回路を遮断することの３種の切り替え操作が同時に行われることで、消費電力の低減が効果的に実現される。いずれかが単独で行われる場合でも、消費電力の低減は可能であるが、その効果は限定的となる。
【００５１】
ところで、上記のように、待機状態においても、制御手段２０は経過時間を計測しているが、一般に、クロック発振手段のクロックカウントを基準として計測した時間には誤差が生じやすい。よって、待機モードにおいて計測される経過時間は真の経過時間からずれた値となっている場合がある。この誤差は、クロック周波数が低いほど顕著となるので、制御手段２０が低いクロック周波数で運転されている待機モードにおいては、経過時間のずれが、特に深刻になる場合がある。よって、待機モードにある間に計測された経過時間には、何らかの補正を加えられる必要がある。
【００５２】
経過時間の補正の方法は、特に限定されるものではないが、例えば、待機モードにある間にも、定期的に短い時間だけ通常モードに復帰することが行われる。
【００５３】
この時、ポートＰ２から電気信号が出力され、リレーＲＹ１の出力端子が閉じられることにより、ゼロクロス回路が接続される。すると、ポートＰ１からゼロクロス信号が入力されるようになる。
【００５４】
制御手段２０は、一定時間（例えば１秒間）の間、ゼロクロス信号を処理して計時を行う。また、それと同じ一定時間の間、第二クロック周波数をもとに計時を行う。両者を比較することで、それまで待機モードにおいて第二クロック周波数のクロックカウントに基づいて計測された経過時間を補正する。
【００５５】
具体的には、例えば、電源周波数が６０Ｈｚである場合、ゼロクロス信号を６０回計数する間の時間と、１秒間のクロックカウント数のずれを見積もることで、１秒当たりに生じる誤差を決定する。その上で、待機モードにおいて計測された経過時間に生じた誤差を、同じ割合で見積もり、演算的にその誤差を経過時間から除けばよい。例えば、１秒間の間に０．１秒の誤差が発生していると見積もられる場合に、１時間と計測された経過時間に生じている誤差は６分となる。
【００５６】
さらに、制御手段２０は、ポートＰ６へ電気信号を出力し、記憶手段２４に電源供給を行う。この状態で、上記で得られた補正された経過時間を記憶手段２４に格納する。
【００５７】
着座センサ２１及び各種機器の電源は、必ずしも投入されなくてもよい。しかし、各機能の補正等、待機モードにある間にも時々行っておいた方がよい処理があれば、その機器の電源を投入し、規定された必要な処理を行うようにしておけばよい。
【００５８】
一時的に正常モードに復帰された状態で、経過時間の補正と記憶、その他規定された処理が終了すれば、制御回路及び各種機器は、再び待機モードに置かれる。定期的に正常モードへの復帰が行われる頻度は、経過時間のずれの程度とその影響の程度等を考慮して適宜定めれば良いが、例えば、１日に１回とする場合を示すことができる。クロック発振手段２５を利用した計時の誤差が小さければ、この間隔を長くすることができ、より節電効果に優れる。
【００５９】
さらに、制御手段２０は、割り込み起動の機能を備える。つまり、電源スイッチ２２又はリモコン受光素子２３によって、使用者からの電源ＯＮの信号が入力されると、制御手段２０は、待機モードから正常モードへの復帰を行う。つまり、ポートＰ７からの電気信号の停止によって電源部１０の出力電圧を、大きな値に戻すとともに、制御手段２０の運転モードをスリープモードから通常の運転モードに切り替える。さらに、ポートＰ１、Ｐ３、Ｐ６等への電気信号の出力によって、ゼロクロス回路と各種機器に電源を投入する。このように、待機モードにおいて、必要最小限の電力しか消費されない状態としておいても、必要な時には、制御回路及び各種機器を通常モードに容易に復帰させ、使用を開始することができる。
【００６０】
以上、本発明の実施形態について詳細に説明したが、本発明は上記実施例に何ら限定されるものではなく、本発明の要旨を逸脱しない範囲で種々の改変が可能である。制御回路が、映像表示機器、ＯＡ機器等、温水洗浄便座以外の機器に使用される場合には、着座センサの代わりに、例えば光学式人感センサ等を備えることができる。
【符号の説明】
【００６１】
１０            電源部
１２ａ、１２ｂ  出力端子
２０            制御手段
２１            着座センサ
２２            電源スイッチ
２３            リモコン受光素子
２４            記憶手段
２５            クロック発振手段
【図１】
0005906918.tif 000002
【図２】
0005906918.tif 000003